(57)【要約】【課題】不整合の発生を防止しつつ、適切な動作を行うと共に、システムの状態を適切に報知できるオーディオシステムを提供することである。【解決手段】オーディオマイコンは、ＶＢＵＳ検出の有無を判別し（Ｓ１０）、ＳＯＦパケット受信の有無を判別する（Ｓ１１）。ＳＯＦパケットを受信していない場合に、オーディオマイコンは、接続確立途中の表示を行い（Ｓ１２）、一方、受信している場合に、接続確立済みの表示を行う（Ｓ１３）。そして、操作部２０の入力の有無を判別し（Ｓ１４）、ＧＵＩアプリケーションとの通信が確立済みであるか否かを判別する（Ｓ１５）。ＧＵＩアプリケーションとの通信が確立済みでない場合に、オーディオマイコンは、起動指示をパソコン３に送信し（Ｓ１６）、通信が確立しない間（Ｓ１７）、アプリ起動途中の表示を行う（Ｓ１８）。【選択図】　図７
2004070988.tif 000002
【特許請求の範囲】
【請求項１】
所定のインタフェースを介してオーディオ装置とコントロール機器とが、接離自在に接続されるオーディオシステムであって、
前記オーディオ装置は、
前記コントロール機器との接続状態を検出する検出手段と、
前記検出手段にて検出された接続状態を表す情報を生成する情報生成手段と、
前記情報生成手段が生成した情報を表示する表示手段と、
指示情報を入力する指示情報入力手段と、
前記検出手段により前記コントロール機器との接続完了が検出された状態において、前記指示情報入力手段が入力した指示情報を、インタフェースを介して前記コントロール機器に転送する転送手段と、
前記転送手段が転送した指示情報に応答して前記コントロール機器から送られる制御データを、インタフェースを介して受信する制御データ受信手段と、
前記制御データ受信手段が受信した制御データに従って、所定の動作を行う制御手段と、を備え、
前記コントロール機器は、
前記オーディオ装置と接続された状態において、前記転送手段により転送された指示情報を、インタフェースを介して受信する指示情報受信手段と、
前記指示情報受信手段が受信した指示情報に対応する制御データを生成する制御データ生成手段と、
前記制御データ生成手段が生成した制御データを、インタフェースを介して前記オーディオ装置に送信する制御データ送信手段と、を備える、
ことを特徴とするオーディオシステム。
【請求項２】
前記検出手段は、前記コントロール機器との接続が確立済みであるか否かを検出し、
前記情報生成手段は、前記検出手段により前記コントロール機器との接続が確立済みでないと判別された場合に、接続が確立途中であることを表す情報を生成し、前記コントロール機器との接続が確立済みであると判別された場合に、接続が確立済みであることを表す情報を生成する、
ことを特徴とする請求項１に記載のオーディオシステム。
【請求項３】
前記コントロール機器は、前記指示情報受信手段、前記制御データ生成手段、及び、前記制御データ送信手段を制御するためのアプリケーションソフトウェアを実行自在なコンピュータ機器からなり、
前記オーディオ装置は、
前記コントロール機器にて前記アプリケーションソフトウェアが起動済みであるか否かを判別する判別手段と、
前記判別手段により前記アプリケーションソフトウェアが起動済みでないと判別された場合に、前記アプリケーションソフトウェアの起動を指示する指示情報を、前記コントロール機器に向けて送信する指示情報送信手段と、を更に備え、
前記情報生成手段は、前記判別手段により前記アプリケーションソフトウェアが起動済みでないと判別された場合に、前記アプリケーションソフトウェアが起動途中であることを表す情報を生成する、
ことを特徴とする請求項１又は２に記載のオーディオシステム。
【請求項４】
前記オーディオ装置は、前記指示情報入力手段が入力した指示情報を、前記転送手段により前記コントロール機器に転送するか、前記制御手段にそのまま供給するかを選択する選択手段を更に備える、
ことを特徴とする請求項１、２又は３に記載のオーディオシステム。
【請求項５】
所定のインタフェースを介して外部のコントロール機器と接離自在に接続される電子機器であって、
インタフェースを介したコントロール機器との接続状態を検出する検出手段と、
前記検出手段にて検出された接続状態を表す情報を生成する情報生成手段と、
前記情報生成手段が生成した情報を表示する表示手段と、
電子機器自身に向けられた指示情報を入力する指示情報入力手段と、
前記検出手段によりコントロール機器との接続が検出された状態において、前記指示情報入力手段が入力した指示情報を、インタフェースを介してコントロール機器に転送する転送手段と、
前記転送手段が転送した指示情報に応答してコントロール機器から送られる制御データを、インタフェースを介して受信する制御データ受信手段と、
前記制御データ受信手段が受信した制御データに従って、所定の動作を行う制御手段と、
を備えることを特徴とする電子機器。
【請求項６】
前記検出手段は、コントロール機器との接続が確立済みであるか否かを検出し、
前記情報生成手段は、前記検出手段によりコントロール機器との接続が確立済みでないと判別された場合に、接続が確立途中であることを表す情報を生成し、コントロール機器との接続が確立済みであると判別された場合に、接続が確立済みであることを表す情報を生成する、
ことを特徴とする請求項５に記載の電子機器。
【請求項７】
コントロール機器にて特定のアプリケーションソフトウェアが起動済みであるか否かを判別する判別手段と、
前記判別手段により特定のアプリケーションソフトウェアが起動済みでないと判別された場合に、特定のアプリケーションソフトウェアの起動を指示する指示情報を、コントロール機器に向けて送信する指示情報送信手段と、を更に備え、
前記情報生成手段は、前記判別手段により特定のアプリケーションソフトウェアが起動済みでないと判別された場合に、アプリケーションソフトウェアが起動途中であることを表す情報を生成する、
ことを特徴とする請求項５又は６に記載の電子機器。
【請求項８】
前記指示情報入力手段が入力した指示情報を、前記転送手段により前記コントロール機器に転送するか、前記制御手段にそのまま供給するかを選択する選択手段を更に備える、
ことを特徴とする請求項５、６又は７に記載の電子機器。
【請求項９】
所定のインタフェースを介して外部のコントロール機器と接離自在に接続される電子機器における状態表示方法であって、
インタフェースを介したコントロール機器との接続状態を検出する検出ステップと、
前記検出ステップにて検出された接続状態を表す情報を生成する情報生成ステップと、
前記情報生成ステップにて生成された情報を所定の表示部に表示する表示ステップと、を備え、
前記検出ステップは、コントロール機器との接続が確立済みであるか否かを検出し、
前記情報生成ステップは、前記検出ステップにてコントロール機器との接続が確立済みでないと判別された場合に、接続が確立途中であることを表す情報を生成し、コントロール機器との接続が確立済みであると判別された場合に、接続が確立済みであることを表す情報を生成する、
ことを特徴とする状態表示方法。
【請求項１０】
コントロール機器にて特定のアプリケーションソフトウェアが起動済みであるか否かを判別する判別ステップと、
前記判別ステップにて特定のアプリケーションソフトウェアが起動済みでないと判別された場合に、特定のアプリケーションソフトウェアの起動を指示する指示情報を、コントロール機器に送信する指示情報送信ステップと、を更に備え、
前記情報生成ステップは、前記判別ステップにて特定のアプリケーションソフトウェアが起動済みでないと判別された場合に、アプリケーションソフトウェアが起動途中であることを表す情報を生成する、
ことを特徴とする請求項９に記載の状態表示方法。
【発明の詳細な説明】
【０００１】
【発明の属する技術分野】
この発明は、オーディオシステム、電子機器および状態表示方法に関する。
【０００２】
【従来の技術】
従来より、パーソナルコンピュータ（パソコン）等のコントロール機器に接続されて使用されるプリンタやモデム等の電子機器が知られている。このような電子機器は、例えば、ＲＳ２３２Ｃやセントロニクス等のインタフェースを備えており、所定のケーブルを介してコントロール機器と接続され、コントロール機器からの制御等に従って動作する。
最近では、パソコン等（コントロール機器）に採用されたインタフェース規格としてＵＳＢ（Ｕｎｉｖｅｒｓａｌ　Ｓｅｒｉａｌ　Ｂｕｓ）等が注目されている。このＵＳＢは、パソコンにおいて導入されている一般的なＯＳ（Ｏｐｅｒａｔｉｎｇ　Ｓｙｓｔｅｍ）にてサポートされており、パソコンの電源を入れたままで電子機器を接続できるホット・プラグ・インや、電子機器を使用するための設定を自動的に行えるプラグ・アンド・プレイが特徴となっている。
【０００３】
このＵＳＢは、マルチメディアデバイスに分類される電子機器を想定した「アイソクロナス（Ｉｓｏｃｈｒｏｎｏｕｓ）転送」をサポートしており、例えば、パソコン（コントロール機器）からオーディオ装置（電子機器）に向けて、リアルタイムにオーディオデータを送信することができる。この際、ＵＳＢにより送られるオーディオデータがデジタルデータであるため、ノイズ等の影響を受けにくく、オーディオ装置にて高音質の楽曲音を出力することができる。
【０００４】
また、このようなオーディオ装置は、一般に、ＣＤ（コンパクトディスク）やＭＤ（ミニディスク）等の再生（録音）が可能であり、ＵＳＢを介してパソコンに接続された際に、パソコンからの制御に従って、音楽ＣＤや音楽ＭＤの再生等を行うことができる。具体的にパソコンには、オーディオ装置をコントロールするアプリケーションプログラム（オーディオ制御ソフトウェア）が、ハードディスク等に実行可能に格納されている。そして、利用者は、オーディオ制御ソフトウェアの実行を指示し、パソコンのディスプレイに表示されるＧＵＩ（Ｇｒａｐｈｉｃａｌ　Ｕｓｅｒ　Ｉｎｔｅｒｆａｃｅ）を通じて、マウス等により、音楽ＣＤや音楽ＭＤの再生等をオーディオ装置に指示する。
【０００５】
【発明が解決しようとする課題】
上述したオーディオ装置は、一般に、パソコンと分離中でも（ＵＳＢ非接続状態でも）、使用可能となっている。つまり、単独でも音楽ＣＤや音楽ＭＤの再生等を行うことができるように、オーディオ装置には、操作部（キースイッチ群）が配置されている。
それでも、オーディオ装置がパソコンと接続された状態において、このような操作部が利用者に操作されると、パソコン側とオーディオ装置との間で不整合が生じるおそれがある。つまり、利用者は、オーディオ制御ソフトウェアによる操作と、オーディオ装置本体の操作部からの操作とが可能となり、その結果、オーディオ装置の管理上において不整合が発生する可能性が高くなる。
【０００６】
このような不整合の発生を防止するためには、パソコン側の操作とオーディオ装置側の操作とを統合し、一元管理することが求められる。例えば、パソコン側のオーディオ制御ソフトウェアが、オーディオ装置側の操作をも管理できれば、操作の不整合の発生を防止可能である。
【０００７】
しかしながら、オーディオ制御ソフトウェアがパソコンにて起動済みでないと、オーディオ装置側の操作が有効とならないこととなる。つまり、オーディオ装置がパソコンと接続された状態であっても、オーディオ制御ソフトウェアが未起動であったり、起動途中であった場合には、オーディオ装置側の操作がパソコン側に受け付けられない。
この場合、オーディオ装置を操作する利用者は、パソコン（オーディオ制御ソフトウェア）の状態を知り得ないため、オーディオ装置の故障と誤解してしまうこともある。
【０００８】
つまり、オーディオ装置がパソコンと接続された状態における不整合の発生を防止するだけでなく、パソコン（オーディオ制御ソフトウェア）の状態を利用者に報知することも求められていた。
【０００９】
この発明は、上記実状に鑑みてなされたもので、不整合の発生を防止しつつ、適切な動作を行うと共に、システムの状態を適切に報知することのできるオーディオシステム、電子機器および状態表示方法を提供することを目的とする。
【００１０】
【課題を解決するための手段】
上記目的を達成するため、本発明の第１の観点に係るオーディオシステムは、所定のインタフェースを介してオーディオ装置とコントロール機器とが、接離自在に接続されるオーディオシステムであって、
前記オーディオ装置は、
前記コントロール機器との接続状態を検出する検出手段と、
前記検出手段にて検出された接続状態を表す情報を生成する情報生成手段と、
前記情報生成手段が生成した情報を表示する表示手段と、
指示情報を入力する指示情報入力手段と、
前記検出手段により前記コントロール機器との接続完了が検出された状態において、前記指示情報入力手段が入力した指示情報を、インタフェースを介して前記コントロール機器に転送する転送手段と、
前記転送手段が転送した指示情報に応答して前記コントロール機器から送られる制御データを、インタフェースを介して受信する制御データ受信手段と、
前記制御データ受信手段が受信した制御データに従って、所定の動作を行う制御手段と、を備え、
前記コントロール機器は、
前記オーディオ装置と接続された状態において、前記転送手段により転送された指示情報を、インタフェースを介して受信する指示情報受信手段と、
前記指示情報受信手段が受信した指示情報に対応する制御データを生成する制御データ生成手段と、
前記制御データ生成手段が生成した制御データを、インタフェースを介して前記オーディオ装置に送信する制御データ送信手段と、を備える、
ことを特徴とする。
【００１１】
前記検出手段は、前記コントロール機器との接続が確立済みであるか否かを検出し、
前記情報生成手段は、前記検出手段により前記コントロール機器との接続が確立済みでないと判別された場合に、接続が確立途中であることを表す情報を生成し、前記コントロール機器との接続が確立済みであると判別された場合に、接続が確立済みであることを表す情報を生成してもよい。
【００１２】
前記コントロール機器は、前記指示情報受信手段、前記制御データ生成手段、及び、前記制御データ送信手段を制御するためのアプリケーションソフトウェアを実行自在なコンピュータ機器からなり、
前記オーディオ装置は、
前記コントロール機器にて前記アプリケーションソフトウェアが起動済みであるか否かを判別する判別手段と、
前記判別手段により前記アプリケーションソフトウェアが起動済みでないと判別された場合に、前記アプリケーションソフトウェアの起動を指示する指示情報を、前記コントロール機器に向けて送信する指示情報送信手段と、を更に備え、前記情報生成手段は、前記判別手段により前記アプリケーションソフトウェアが起動済みでないと判別された場合に、前記アプリケーションソフトウェアが起動途中であることを表す情報を生成してもよい。
【００１３】
前記オーディオ装置は、前記指示情報入力手段が入力した指示情報を、前記転送手段により前記コントロール機器に転送するか、前記制御手段にそのまま供給するかを選択する選択手段を更に備えてもよい。
【００１４】
上記目的を達成するため、本発明の第２の観点に係る電子機器は、
所定のインタフェースを介して外部のコントロール機器と接離自在に接続される電子機器であって、
インタフェースを介したコントロール機器との接続状態を検出する検出手段と、
前記検出手段にて検出された接続状態を表す情報を生成する情報生成手段と、
前記情報生成手段が生成した情報を表示する表示手段と、
電子機器自身に向けられた指示情報を入力する指示情報入力手段と、
前記検出手段によりコントロール機器との接続が検出された状態において、前記指示情報入力手段が入力した指示情報を、インタフェースを介してコントロール機器に転送する転送手段と、
前記転送手段が転送した指示情報に応答してコントロール機器から送られる制御データを、インタフェースを介して受信する制御データ受信手段と、
前記制御データ受信手段が受信した制御データに従って、所定の動作を行う制御手段と、
を備えることを特徴とする。
【００１５】
前記検出手段は、コントロール機器との接続が確立済みであるか否かを検出し、
前記情報生成手段は、前記検出手段によりコントロール機器との接続が確立済みでないと判別された場合に、接続が確立途中であることを表す情報を生成し、コントロール機器との接続が確立済みであると判別された場合に、接続が確立済みであることを表す情報を生成してもよい。
【００１６】
上記の電子機器は、コントロール機器にて特定のアプリケーションソフトウェアが起動済みであるか否かを判別する判別手段と、
前記判別手段により特定のアプリケーションソフトウェアが起動済みでないと判別された場合に、特定のアプリケーションソフトウェアの起動を指示する指示情報を、コントロール機器に向けて送信する指示情報送信手段と、を更に備え、前記情報生成手段は、前記判別手段により特定のアプリケーションソフトウェアが起動済みでないと判別された場合に、アプリケーションソフトウェアが起動途中であることを表す情報を生成してもよい。
【００１７】
上記の電子機器は、前記指示情報入力手段が入力した指示情報を、前記転送手段により前記コントロール機器に転送するか、前記制御手段にそのまま供給するかを選択する選択手段を更に備えてもよい。
【００１８】
上記目的を達成するため、本発明の第３の観点に係る状態表示方法は、
所定のインタフェースを介して外部のコントロール機器と接離自在に接続される電子機器における状態表示方法であって、
インタフェースを介したコントロール機器との接続状態を検出する検出ステップと、
前記検出ステップにて検出された接続状態を表す情報を生成する情報生成ステップと、
前記情報生成ステップにて生成された情報を所定の表示部に表示する表示ステップと、を備え、
前記検出ステップは、コントロール機器との接続が確立済みであるか否かを検出し、
前記情報生成ステップは、前記検出ステップにてコントロール機器との接続が確立済みでないと判別された場合に、接続が確立途中であることを表す情報を生成し、コントロール機器との接続が確立済みであると判別された場合に、接続が確立済みであることを表す情報を生成する、
ことを特徴とする。
【００１９】
上記の状態表示方法は、コントロール機器にて特定のアプリケーションソフトウェアが起動済みであるか否かを判別する判別ステップと、
前記判別ステップにて特定のアプリケーションソフトウェアが起動済みでないと判別された場合に、特定のアプリケーションソフトウェアの起動を指示する指示情報を、コントロール機器に送信する指示情報送信ステップと、を更に備え、前記情報生成ステップは、前記判別ステップにて特定のアプリケーションソフトウェアが起動済みでないと判別された場合に、アプリケーションソフトウェアが起動途中であることを表す情報を生成してもよい。
【００２０】
【発明の実施の形態】
本発明の実施の形態にかかるオーディオシステムについて、以下図面を参照して説明する。
【００２１】
図１は、この発明の実施の形態に適用されるオーディオシステムの構成の一例を示すブロック図である。図示するように、このオーディオシステムは、オーディオ装置１と、パソコン（パーソナルコンピュータ）３とが、ＵＳＢ（Ｕｎｉｖｅｒｓａｌ　Ｓｅｒｉａｌ　Ｂｕｓ）ケーブルＣを介して接続されて構成される。
なお、ＵＳＢケーブルＣは、利用者により着脱可能となっている。また、ＵＳＢケーブルＣには、ＵＳＢ規格に従って、通信ライン（Ｄ＋，Ｄ−）及びＶＢＵＳ（電源ライン）が含まれている。
【００２２】
オーディオ装置１は、ＵＳＢインタフェースを備えた電子機器であり、一例として、ＭＤ（ミニディスク）及び、ＣＤ（コンパクトディスク）を再生（録音）可能な録音再生機器である。
このオーディオ装置１は、図示するように、ＵＳＢハブ１１と、ＵＳＢ　Ｉ／Ｆ１２，１３と、ＭＤ制御モジュール１４と、ＵＳＢオーディオ１５と、セレクタ１６と、アンプ１７と、スピーカ１８と、内部バス１９と、操作部２０と、オーディオマイコン２１と、表示部２２と、処理制御部２３と、マルチデコードＤＳＰ２４と、ＲＯＭ２５と、ＲＡＭ２６と、ドライブコントローラ２７と、ＣＤドライブユニット２８と、から構成される。
【００２３】
ＵＳＢハブ１１は、ＵＳＢ規格に従った通信データの分岐及び収集を行う。具体的にＵＳＢハブ１１は、ＵＳＢ　Ｉ／Ｆ１２，１３とパソコン３との間における制御データ等の通信を中継し、また、ＭＤ制御モジュール１４とパソコン３との間における転送楽曲データ等の通信を中継し、更に、ＵＳＢオーディオ１５とパソコン３との間におけるＵＳＢ音声信号等の通信を中継する。
【００２４】
ＵＳＢ　Ｉ／Ｆ（ＵＳＢインタフェース）１２，１３は、それぞれＵＳＢ規格に従った通信機能を有するＩＣであり、制御データ（フレームデータ）等を、ＵＳＢハブ１１を介してパソコン３との間で送受信する。
そして、ＵＳＢ　Ｉ／Ｆ１２（ブリッジ）は、ＵＳＢハブ１１と内部バス１９とを接続するブリッジであり、内部バス１９に接続された各モジュール（処理制御部２３〜ドライブコントローラ２７等）の通信を中継する。
例えば、ＵＳＢ　Ｉ／Ｆ１２は、パソコン３から送られたＣＤドライブユニット２８への制御データ（アクセス指令等）を受信すると、内部バス１９を介してドライブコントローラ２７にアクセス指令等を送信する。そして、パソコン３は、ＵＳＢ　Ｉ／Ｆ１２等を介して、ＣＤドライブユニット２８に装填されたＣＤから楽曲データ等を読み出す。
【００２５】
一方、ＵＳＢ　Ｉ／Ｆ１３（コントロール）は、オーディオマイコン２１から供給される制御データ（指示情報等）を、ＵＳＢハブ１１を介してパソコン３に向けて送信する。また、ＵＳＢ　Ｉ／Ｆ１３は、パソコン３から送られる制御データ（動作指令情報）をＵＳＢハブ１１を介して受信し、受信した制御データをオーディオマイコン２１に供給する。
なお、ＵＳＢ　Ｉ／Ｆ１３は、ＵＳＢケーブルＣのＶＢＵＳにより供給される電源電圧の有無等を逐次検出することにより、オーディオ装置１がＵＳＢケーブルＣを介してパソコン３と接続された状態であるか否かを判別する。
また、ＵＳＢ　Ｉ／Ｆ１３は、ＵＳＢケーブルＣを介してパソコン３から供給されるＳＯＦ（ＵＳＢプロトコル上の１ミリ秒毎のパケット）の有無等を検出することにより、パソコン３との接続が確立済みであるか否かを判別する。
【００２６】
ＭＤ制御モジュール１４は、例えば、ＮｅｔＭＤ（登録商標）規格に準拠したモジュールであり、パソコン３から送られる暗号化された楽曲データ（ＰＣＭデータ／ＡＴＲＡＣ３方式にて圧縮されたデータ）等を受信、復号して、数倍速〜数十倍速にてＭＤに記録する。その際、ＭＤ制御モジュール１４は、著作権保護のためのコンテンツハッシュ（楽曲データから一意に求められた特定情報）をパソコン３に送信する。
また、ＭＤ制御モジュール１４は、楽曲データを記録したＭＤを再生し、そしてデコードして得た音声信号Ａ１を、セレクタ１６を介してアンプ１７等に順次供給する。
【００２７】
ＵＳＢオーディオ１５は、例えば、ＵＳＢ規格に従った通信機能を併せ持つＣＯＤＥＣ（ＣＯｄｅｒ／ＤＥＣｏｄｅｒ）用ＩＣ等からなり、ＵＳＢハブ１１を介してパソコン３から供給されたＵＳＢ音声信号（アイソクロナス転送のフレーム等）を順次取得する。そして、取得したＵＳＢ音声信号をデコードして得られた音声信号Ａ２を、セレクタ１６を介してアンプ１７等に順次供給する。
また、ＵＳＢオーディオ１５は、セレクタ１６にて選択された音声信号を、ＵＳＢ音声信号に変換して、ＵＳＢハブ１１に供給する。
【００２８】
セレクタ１６は、例えば、３入力１出力のセレクタ回路等からなり、ＭＤ制御モジュール１４、ＵＳＢオーディオ１５、及び、マルチデコードＤＳＰ２４から供給される音声信号Ａ１〜Ａ３をそれぞれ入力し、オーディオマイコン２１から供給される切換信号等に従って、何れか一つの音声信号を選択する。セレクタ１６は、選択した音声信号をアンプ１７を介してスピーカ１８等に出力する。
【００２９】
アンプ１７は、増幅回路等からなり、セレクタ１６にて選択され出力された音声信号を適宜増幅して、スピーカ１８及びＵＳＢオーディオ１５に供給する。
【００３０】
スピーカ１８は、アンプ１７にて増幅された音声信号を入力し、入力した音声信号に従って、所定の楽曲音等を発する。
【００３１】
内部バス１９は、処理制御部２３と、マルチデコードＤＳＰ２４と、ＲＯＭ２５と、ＲＡＭ２６と、ドライブコントローラ２７とを共通路にて接続するバスであり、主に、処理制御部２３と、マルチデコードＤＳＰ２４〜ドライブコントローラ２７との間で必要な情報（信号）を伝送する。
【００３２】
操作部２０は、例えば、オーディオ装置の前面に配置された複数のキースイッチ群からなり、利用者の操作（押下等）に従った指示情報をオーディオマイコン２１に供給する。
具体的に操作部２０は、図２に示すように、ＭＤの再生を指示するＭＤ再生キー（ＭＤ　ＰＬＡＹ）、ＣＤの再生を指示するＣＤ再生キー（ＣＤ　ＰＬＡＹ）、及び、ＭＤ再生やＣＤ再生の停止を指示する停止キー（ＳＴＯＰ）等を含んで構成される。
【００３３】
図１に戻って、オーディオマイコン２１は、例えば、１チップマイコン等からなり、ＵＳＢ　Ｉ／Ｆ１３、セレクタ１６、ＭＤ制御モジュール１４、及び、処理制御部２３等を制御する。
具体的にオーディオマイコン２１は、操作部２０から供給される指示情報や、パソコン３からＵＳＢ　Ｉ／Ｆ１３を介して送られる制御データに従って、処理制御部２３を制御し、ドライブコントローラ２７を通じて、ＣＤドライブユニット２８にＣＤを再生等させる。その際、オーディオマイコン２１と処理制御部２３との間では、ＵＡＲＴ（Ｕｎｉｖｅｒｓａｌ　Ａｓｙｎｃｈｒｏｎｏｕｓ　Ｒｅｃｅｉｖｅｒ　Ｔｒａｎｓｍｉｔｔｅｒ）通信にて、マクロコマンド（例えば、ＰＬＡＹやＳＴＯＰ等）がやり取りされる。また、オーディオマイコン２１は、同様に、指示情報や制御データに従って、ＭＤ制御モジュール１４を制御して、ＭＤから楽曲データを再生し、また、ＭＤに楽曲データを記録する。その際、オーディオマイコン２１とＭＤ制御モジュール１４との間でも、ＵＡＲＴ通信にて、マクロコマンドがやり取りされる。
【００３４】
なお、オーディオマイコン２１は、ＵＳＢ　Ｉ／Ｆ１３を介して、オーディオ装置１とパソコン３とのＵＳＢケーブルＣによる接続の有無を逐次検出すると共に、パソコン３におけるＧＵＩアプリケーション３ａの起動状況等を検出している。そして、オーディオマイコン２１は、オーディオ装置１が、パソコン３と非接続状態（分離中）であるか、接続途中状態（接続確立途中、及び、接続確立済みでＧＵＩアプリケーション３ａが起動途中）であるか、或いは、接続完了状態（接続確立済みでＧＵＩアプリケーション３ａが起動済み）であるかを判別し、判別結果に応じて、それぞれ異なった制御を行う。
つまり、オーディオマイコン２１は、オーディオ装置１がパソコン３と分離中ある場合に、操作部２０から供給された指示情報に従って、そのまま処理制御部２３やＭＤ制御モジュール１４等を制御する。
【００３５】
また、パソコン３と接続途中である場合に、オーディオマイコン２１は、接続確立途中であることを示すメッセージや、パソコン３のＧＵＩアプリケーション３ａが起動途中であることを示すメッセージ等を生成して、表示部２２に表示する。
【００３６】
更に、パソコン３との接続が完了した場合に、オーディオマイコン２１は、操作部２０から供給された指示情報を、ＵＳＢ　Ｉ／Ｆ１３等を介してパソコン３に転送する。そして、転送した指示情報に応答してパソコン３から送られる同等の制御データを、ＵＳＢ　Ｉ／Ｆ１３等を介して受信すると、受信した制御データに従って、処理制御部２３やＭＤ制御モジュール１４等を制御する。
なお、この状態で、パソコン３側の操作（利用者によるキーボードやマウス等の操作）に従った制御データが送られる場合もある。この場合も、オーディオマイコン２１は、パソコン３から送られる制御データをＵＳＢ　Ｉ／Ｆ１３等を介して受信し、受信した制御データに従って、処理制御部２３やＭＤ制御モジュール１４等を制御する。
【００３７】
表示部２２は、液晶表示パネル等からなり、オーディオマイコン２１から供給される表示用データに従って、オーディオ装置１の動作状況を示す文字や図形等を表示する。
例えば、表示部２２は、オーディオ装置１がパソコン３と接続途中である場合に、接続確立途中であることを示すメッセージや、パソコン３のＧＵＩアプリケーション３ａが起動途中であることを示すメッセージを表示する。
【００３８】
処理制御部２３は、ＣＰＵ（Ｃｅｎｔｒａｌ　Ｐｒｏｃｅｓｓｉｎｇ　Ｕｎｉｔ）等からなり、例えば、ＲＯＭ２５に記憶されたプログラム（ＲＡＭ２６にロードされたプログラム）に従って、マルチデコードＤＳＰ２４やドライブコントローラ２７等を制御する。
例えば、処理制御部２３は、ドライブコントローラ２７を通じて、ＣＤドライブユニット２８に装填されたＣＤから所定の音楽フォーマットの楽曲データを読み出し、読み出した楽曲データをマルチデコードＤＳＰ２４に転送することにより、楽曲データを再生する。
【００３９】
マルチデコードＤＳＰ２４は、例えば、ＣＤ−ＤＡ（ＣＤ　Ｄｉｇｉｔａｌ　Ａｕｄｉｏ）、ＭＰ３（ＭＰＥＧ１　Ａｕｄｉｏ　Ｌａｙｅｒ−３）、及び、ＷＭＡ（Ｗｉｎｄｏｗｓ（Ｒ）　Ｍｅｄｉａ　Ａｕｄｉｏ）等といった複数の音楽フォーマット（エンコード方式や圧縮方式）に対応し、ＣＤから読み出された楽曲データを適宜デコードし、音声信号Ａ３を生成する。
マルチデコードＤＳＰ２４は、生成した音声信号Ａ３をセレクタ１６に供給する。
【００４０】
ＲＯＭ（Ｒｅａｄ　Ｏｎｌｙ　Ｍｅｍｏｒｙ）２５は、例えば、書き換え可能な読み出し専用メモリであるフラッシュＲＯＭからなり、処理制御部２３が実行するプログラム等を予め記憶する。
【００４１】
ＲＡＭ（Ｒａｎｄｏｍ　Ａｃｃｅｓｓ　Ｍｅｍｏｒｙ）２６は、例えば、バスクロックに同期して動作するＳＤＲＡＭ（Ｓｙｎｃｈｒｏｎｏｕｓ　Ｄｙｎａｍｉｃ　ＲＡＭ）等からなり、ＲＯＭ２５内に記憶されたプログラムをロードする。また、ＲＡＭ２６は、処理制御部２３がプログラムを実行する際に必要となるワークデータ等を記憶する。
【００４２】
ドライブコントローラ２７は、例えば、ＡＴＡＰＩ（ＡＴ　Ａｔｔａｃｈｍｅｎｔ　Ｐａｃｋｅｔ　Ｉｎｔｅｒｆａｃｅ）規格のコントローラ等からなり、ＣＤドライブユニット２８を制御する。
すなわち、ドライブコントローラ２７は、ＣＤドライブユニット２８に装填されたＣＤから楽曲データを読み出し、読み出した楽曲データをマルチデコードＤＳＰ２４に供給する。
【００４３】
ＣＤドライブユニット２８は、例えば、ＡＴＡＰＩ規格のＣＤドライブ装置からなり、ドライブコントローラ２７に制御され、装填されたＣＤ等を再生する。なお、ＣＤドライブユニット２８は、市販された音楽ＣＤだけでなく、ＣＤ−Ｒ（ＣＤ　Ｒｅｃｏｒｄａｂｌｅ）やＣＤ−ＲＷ（ＣＤ　ＲｅＷｒｉｔａｂｌｅ）等も再生可能である。そして、ＣＤ−Ｒ等に記録されたＭＰ３やＷＭＡ等の音楽フォーマットの楽曲データを読み出し、ドライブコントローラ２７等を介して、マルチデコードＤＳＰ２４に供給する。
【００４４】
一方、パソコン３は、ＣＰＵ等の演算ユニット、メモリやハードディスク等の記憶素子、マウスやキーボード等の操作デバイス、ディスプレイ等の表示デバイス、そして、ＵＳＢインタフェース等を備えた汎用のパーソナルコンピュータからなる。
そして、パソコン３は、ハードディスク等にインストールされたＯＳ（Ｏｐｅｒａｔｉｎｇ　Ｓｙｓｔｅｍ）に従って稼動し、そのＯＳ上にてＧＵＩアプリケーション３ａ（ＧＵＩ　ＡＰＰ）等を実行する。
【００４５】
このＧＵＩアプリケーション３ａは、オーディオ装置１を制御・管理するためのアプリケーションソフトウェアである。具体的には、図３（ａ），（ｂ）に示すような画像をディスプレイに表示しながら、利用者によるマウスやキーボードからの操作指示を受けて、ＵＳＢケーブルＣを介してオーディオ装置１を制御する。
つまり、オーディオ装置１にてＭＤの再生等を行う場合、ＧＵＩアプリケーション３ａは、図３（ａ）に示すような画像をディスプレイに表示しつつ、利用者からのマウス等による操作指示を待機する。そして、操作指示を受けると、その操作指示に応じて図３（ａ）の画像を適宜更新すると共に、対応する制御データを生成して、オーディオ装置１に向けて送信する。
また、オーディオ装置１にてＣＤの再生等を行う場合、同様にＧＵＩアプリケーション３ａは、図３（ｂ）に示すような画像を表示しつつ、マウス等による操作指示を待機し、取得した操作指示に対応する制御データを生成して、オーディオ装置１に向けて送信する。
【００４６】
なお、上述したように、パソコン３とオーディオ装置１との接続が完了した状態（ＧＵＩアプリケーション３ａが起動済みの状態）で、オーディオ装置１の操作部２０が操作されると、ＵＳＢ　Ｉ／Ｆ１３等を介して指示情報がパソコン３に向けて転送される。ＧＵＩアプリケーション３ａは、このような指示情報が送られると、マウスやキーボードからの操作指示と同等に扱い、この指示情報に対応する制御データを生成して、オーディオ装置１に向けて送信する。
もちろん、パソコン３は、オーディオ装置１からの指示情報、及び、マウスやキーボードからの操作指示を、メモリに記憶して管理し、オーディオ装置１がどのような状態にあるか、常に認識可能である。
【００４７】
このような構成のオーディオシステムにおいて、オーディオ装置１は、パソコン３と接続されていない状態（分離中）と、パソコン３との接続が途中の状態（接続確立途中、及び、接続確立済みでＧＵＩアプリケーション３ａが起動途中）と、パソコン３との接続が完了した状態（接続確立済みでＧＵＩアプリケーション３ａが起動済み）とで、異なる制御が行われる。
【００４８】
まず、図４に示すように、オーディオ装置１とパソコン３とが分離中の状態において、利用者により操作部２０が操作されると、オーディオ装置１は、直接指示された動作を行う。
すなわち、操作部２０から入力された指示情報がオーディオマイコン２１に供給されると、オーディオマイコン２１は、供給された指示情報に従って、そのまま処理制御部２３（最終的にはＣＤドライブユニット２８等）やＭＤ制御モジュール１４等を制御する。
【００４９】
また、オーディオ装置１とパソコン３との接続開始から接続完了前の状態において、オーディオ装置１は、パソコン３（ＧＵＩアプリケーション３ａ）との関係に従って、図５に示すようなメッセージ等を表示部２２に表示する。
まず、パソコン３との接続が確立途中の状態では、オーディオ装置１は、図５（ａ）に示すように、固定セグメントＤ１を所定サイクルにて点滅させると共に、パソコン３との接続を示すメッセージＭ１を表示部２２に表示する。
そして、パソコン３との接続が確立すると、オーディオ装置１は、図５（ｂ）に示すように、固定セグメントＤ１を点灯させて表示部２２に表示する。
【００５０】
次に、パソコン３のＧＵＩアプリケーション３ａが起動途中である場合に、オーディオ装置１は、図５（ｃ）に示すように、ＧＵＩアプリケーション３ａの起動待ちを示すメッセージＭ２を表示部２２に表示する。
なお、ＧＵＩアプリケーション３ａの起動が完了すると、オーディオ装置１は、図５（ｃ）に示すメッセージＭ２を表示部２２から消去する。
【００５１】
更に、オーディオ装置１がパソコン３との接続が完了した状態において、図６に示すように、利用者により操作部２０が操作されると、オーディオ装置１は、一旦その指示をパソコン３に転送し、そして、パソコン３から間接的に指示（制御）された動作を行う。
すなわち、操作部２０から入力された指示情報がオーディオマイコン２１に供給されると、オーディオマイコン２１は、供給された指示情報をＵＳＢ　Ｉ／Ｆ１３等を介してパソコン３に転送する。そして、転送した指示情報に応答してパソコン３から送られる同等の制御データを、ＵＳＢ　Ｉ／Ｆ１３等を介して受信すると、オーディオマイコン２１は、受信した制御データに従って、処理制御部２３やＭＤ制御モジュール１４等を制御する。
又、ＣＤドライブユニット２８は、ＵＳＢ　Ｉ／Ｆ１２を介してパソコン３のドライブとして認識されており、ＧＵＩアプリケーション３ａからパソコン３のＯＳを介して送られるＡＴＡＰＩ（ＡＴ　Ａｔｔａｃｈｍｅｎｔ　Ｐａｃｋｅｔ　Ｉｎｔｅｒｆａｃｅ）コマンドにより制御される。
【００５２】
以下、この発明の実施の形態にかかるオーディオシステムの動作について、図７等を参照して説明する。図７は、オーディオ装置１にて実行される接続処理を説明するためのフローチャートである。
なお、図７に示す接続処理は、例えば、オーディオ装置１の電源投入後に繰り返し実行される。
【００５３】
まず、オーディオマイコン２１は、ＵＳＢ　Ｉ／Ｆ１３を介して、ＶＢＵＳを検出したか否かを判別する（ステップＳ１０）。
すなわち、オーディオマイコン２１は、ＶＢＵＳにより供給される電源電圧の有無等をＵＳＢ　Ｉ／Ｆ１３にて逐次検出することにより、オーディオ装置１がＵＳＢケーブルＣを介してパソコン３と接続された状態であるか又は、分離中であるかを判別する。
【００５４】
オーディオマイコン２１は、ＶＢＵＳを検出していないと判別すると、接続処理をそのまま終了する。
一方、ＶＢＵＳを検出したと判別すると、オーディオマイコン２１は、ＵＳＢＩ／Ｆ１３を介して、ＳＯＦパケットを受信しているか否かを判別する（ステップＳ１１）。
すなわち、オーディオマイコン２１は、ＵＳＢケーブルＣを介してパソコン３から供給されるＳＯＦ（ＵＳＢプロトコル上の１ミリ秒毎のパケット）の受信割り込みの有無等をＵＳＢ　Ｉ／Ｆ１３にて逐次検出することにより、パソコン３との接続が確立済みであるか否かを判別する。
【００５５】
オーディオマイコン２１は、ＳＯＦパケットを受信していないと判別すると、接続確立途中の表示を行う（ステップＳ１２）。
例えば、オーディオマイコン２１は、図５（ａ）に示すように、固定セグメントＤ１を所定サイクルにて点滅させると共に、パソコン３との接続を示すメッセージＭ１を表示部２２に表示する。つまり、固定セグメントＤ１を点滅させることで、パソコン３との接続が確立途中であることを利用者に報知する。
【００５６】
一方、ＳＯＦパケットを受信していると判別すると、オーディオマイコン２１は、接続確立済みの表示を行う（ステップＳ１３）。
例えば、オーディオマイコン２１は、図５（ｂ）に示すように、固定セグメントＤ１を点灯させて表示部２２に表示する。つまり、固定セグメントＤ１の点滅を止めて点灯に切り換えることで、パソコン３との接続が確立した状態であることを利用者に報知する。
【００５７】
オーディオマイコン２１は、操作部２０の入力の有無を判別する（ステップＳ１４）。つまり、操作部２０を介して利用者による指示情報が入力されたか否かを判別する。
オーディオマイコン２１は、操作部２０の入力がないと判別した場合、そのまま接続処理を終了する。
【００５８】
一方、操作部２０の入力があったと判別した場合、オーディオマイコン２１は、ＧＵＩアプリケーション３ａとの通信が確立済みであるか否かを判別する（ステップＳ１５）。
すなわち、オーディオマイコン２１は、パソコン３にてＧＵＩアプリケーション３ａが起動済みの状態であるか否かを判別する。
【００５９】
オーディオマイコン２１は、ＧＵＩアプリケーション３ａとの通信が確立済み（ＧＵＩアプリケーション３ａが起動済み）であると判別すると、後述するステップＳ１９に処理を進める。
【００６０】
一方、ＧＵＩアプリケーション３ａとの通信が確立していない（ＧＵＩアプリケーション３ａが未起動の状態である）と判別すると、オーディオマイコン２１は、ＧＵＩアプリケーション３ａの起動指示をパソコン３に送信する（ステップＳ１６）。つまり、オーディオマイコン２１は、ＧＵＩアプリケーション３ａの起動を指示するための制御情報をＵＳＢ　Ｉ／Ｆ１３を介して、パソコン３に送信する。
なお、パソコン３側にて、ＵＳＢケーブルＣを介したオーディオ装置１との接続を検出して、自動的にＧＵＩアプリケーション３ａを起動させる場合には、オーディオ装置１からＧＵＩアプリケーション３ａの起動指示を送らなくともよい。
【００６１】
オーディオマイコン２１は、ＧＵＩアプリケーション３ａとの通信が確立したか否かを判別する（ステップＳ１７）。つまり、起動指示等に応じたＧＵＩアプリケーション３ａの起動が完了したか否かを判別する。
【００６２】
オーディオマイコン２１は、ＧＵＩアプリケーション３ａとの通信が確立していないと判別すると、アプリ起動途中の表示を行う（ステップＳ１８）。
例えば、オーディオマイコン２１は、図５（ｃ）に示すように、ＧＵＩアプリケーション３ａの起動待ちを示すメッセージＭ２を表示部２２に表示する。
そして、オーディオマイコン２１は、上述のステップＳ１７に処理を戻す。
【００６３】
また、ステップＳ１７にて、ＧＵＩアプリケーション３ａとの通信が確立したと判別すると、オーディオマイコン２１は、入力した指示情報をＧＵＩアプリケーション３ａに送信する（ステップＳ１９）。
すなわち、ステップＳ１４にて操作部２０から入力した指示情報をＵＳＢ　Ｉ／Ｆ１３を介してパソコン３に向けて転送する。
【００６４】
この指示情報が送られるとパソコン３は、起動済みのＧＵＩアプリケーション３ａに、指示情報を供給する。そして、ＧＵＩアプリケーション３ａは、この指示情報を、マウスやキーボードからの操作指示と同等に扱い、指示情報に対応する制御データを生成して、オーディオ装置１に向けて送信する。
【００６５】
そして、オーディオマイコン２１は、ＵＳＢ　Ｉ／Ｆ１３を介して、パソコン３から送られた制御データを受信すると、受信した制御データに従って、ＭＤ制御モジュール１４や処理制御部２３等を制御する。
又、ＣＤドライブユニット２８は、ＵＳＢ　Ｉ／Ｆ１２を介してパソコン３から送られるＡＴＡＰＩコマンドにより制御を受ける。
【００６６】
このように、上述した図７に示す接続処理により、オーディオ装置１とパソコン３との接続開始から接続完了に至る間において、図５（ａ）〜（ｃ）に示すような接続状況を示すメッセージ等が表示部２２に表示される。このため、利用者は、オーディオ装置１が操作可能な状態であるかどうかを確認でき、また、オーディオ装置１への操作にある程度のタイムラグが生じてたとしても、その状況を把握することができるため、故障や誤動作といった誤解を招くこともない。
そして、オーディオ装置１とパソコン３との接続が完了すると、操作部２０からの指示情報が、一旦パソコン３（ＧＵＩアプリケーション３ａ）に転送され、応答してパソコン３から送られる制御データをオーディオ装置１が受信する。そして、受信した制御データに従って所定の動作を行うため、オーディオ装置１側とパソコン３側との間の不整合が発生し得ないこととなる。
【００６７】
この結果、不整合の発生を防止しつつ、適切な動作を行うと共に、システムの状態を適切に報知することができる。
【００６８】
上記の実施の形態では、上述した図７の接続処理にて、ＧＵＩアプリケーション３ａとの通信が確立していない状態で、パソコン３にてＧＵＩアプリケーション３ａを起動させるために、指示情報をオーディオ装置１からパソコン３に送信する場合について説明した。
しかしながら、パソコン３にてＧＵＩアプリケーション３ａを起動させたくない状況も場合によってはあり得る。このような場合を考慮して、ＧＵＩアプリケーション３ａの起動をさせることなく、オーディオ装置１にて単体動作が行えるようにしてもよい。
【００６９】
以下、オーディオ装置１の単体動作を利用者が選択し得る処理について、図８を参照して簡単に説明する。図８は、この発明の他の実施の形態に係る接続処理を説明するためのフローチャートである。
図８に示す接続処理は、ステップＳ２１〜Ｓ２３の処理だけが、上述した図７の接続処理と異なっている。
【００７０】
すなわち、図７の接続処理と同様に、オーディオマイコン２１は、ＵＳＢ　Ｉ／Ｆ１３を介して、ＶＢＵＳ検出の有無を判別し、また、ＳＯＦパケット受信の有無を判別して、接続確立途中の表示や、接続確立済みの表示を行う（ステップＳ１０〜ステップＳ１３）。
つまり、オーディオマイコン２１は、パソコン３との接続状況に従って、表示部２２に、図５（ａ）や、図５（ｂ）に示すようなメッセージ等を表示する。
【００７１】
そして、パソコン３との接続が確立した後に、オーディオマイコン２１は、操作部２０から入力の有無を判別し、また、ＧＵＩアプリケーション３ａとの通信が確立済みであるかを判別する（ステップＳ１４，Ｓ１５）。
オーディオマイコン２１は、ＧＵＩアプリケーション３ａとの通信が確立済みであると判別した場合、操作部２０から入力した指示情報をＧＵＩアプリケーション３ａに送信する（ステップＳ１９）。
【００７２】
一方、ＧＵＩアプリケーション３ａとの通信が確立済みでないと判別すると、オーディオマイコン２１は、単体動作への移行を確認するためのメッセージを表示する（ステップＳ２１）。
例えば、オーディオマイコン２１は、図９に示すように、オーディオ装置１の単体動作への移行を利用者に確認するためのメッセージＭ３を表示部２２に表示する。
【００７３】
オーディオマイコン２１は、単体動作への移行が指示されたか否かを判別する（ステップＳ２２）。すなわち、オーディオマイコン２１は、図９に示すメッセージＭ３を肯定するキー操作及び、否定するキー操作の何れかが、操作部２０にて利用者によって行われたかを判別する。
【００７４】
オーディオマイコン２１は、単体動作への移行が指示されなかったと判別した場合、そのまま接続処理を終了する。なお、単体動作への移行が指示されなかったこの際に、ＧＵＩアプリケーション３ａの起動指示をパソコン３に送信してもよい。
【００７５】
一方、単体動作への移行が指示されたと判別した場合に、オーディオマイコン２１は、単体動作用の制御経路に切り換える（ステップＳ２３）。
すなわち、図４に示すように、操作部２０から入力された指示情報がオーディオマイコン２１に供給されると、オーディオマイコン２１は、供給された指示情報に従って、そのまま処理制御部２３（最終的にはＣＤドライブユニット２８等）やＭＤ制御モジュール１４等を制御する。
【００７６】
このように、上述した図８に示す接続処理により、パソコン３との関係に従って、図５（ａ）や図５（ｂ）に示すような接続状況を表すメッセージ等が表示部２２に表示される。また、パソコン３にてＧＵＩアプリケーション３ａが未起動である場合に、図９に示すようなオーディオ装置１側の単体動作への移行を確認するメッセージが表示部２２に表示される。このため、利用者は、オーディオ装置１の操作が可能な状態であるかどうかを確認でき、また、オーディオ装置１の単体動作への移行も指示できる。
そして、オーディオ装置１への単体動作が指示されると、操作部２０に入力された指示情報に従って、オーディオマイコン２１がそのまま処理制御部２３やＭＤ制御モジュール１４等を制御する。この場合には、分離中と同様に、パソコン３側からのオーディオ装置１の制御が行えないため、不整合が発生し得ないこととなる。
【００７７】
この場合も、不整合の発生を防止しつつ、適切な動作を行うと共に、システムの状態を適切に報知することができる。
【００７８】
上記の実施の形態では、オーディオ装置１において、操作部２０によって指示情報が入力される場合について説明したが、指示情報を入力する手法は、任意である。例えば、リモコン（リモートコントローラ）等による赤外線信号を受信できるようにし、この赤外線信号により、指示情報を入力してもよい。
【００７９】
また、上記の実施の形態では、オーディオ装置１及びパソコン３がそれぞれＵＳＢインタフェースを備え、そして、オーディオ装置１とパソコン３との間がＵＳＢケーブルＣを介して接続されるオーディオシステムについて説明した。しかしながら、オーディオ装置１及びパソコン３が備えるインタフェースは、ＵＳＢに限られず任意である。例えば、ＩＥＥＥ１３９４等のようなインタフェースであってもよく、オーディオ装置１とパソコン３との間がＩＥＥＥ１３９４ケーブルを介して接続されてもよい。
更に、ブルートゥース（Ｂｌｕｅｔｏｏｔｈ）や、ＩＥＥＥ８０２．１１ｂ等のような無線規格によるインタフェースによって、オーディオ装置１とパソコン３との間が接続されてもよい。
【００８０】
また、上記の実施の形態では、パソコン３と接続可能な電子機器の一例として、オーディオ装置１について説明したが、本発明は、個々に操作部等を備えた種々の電子機器に適用可能である。例えば、プリンタ、スキャナ、デジタルカメラ、そして、玩具等にも適宜適用可能である。
【００８１】
【発明の効果】
以上説明したように、本発明によれば、不整合の発生を防止しつつ、適切な動作を行うと共に、システムの状態を適切に報知することができる。
【図面の簡単な説明】
【図１】本発明の実施の形態に係るオーディオシステムの構成の一例を示すブロック図である。
【図２】操作部の具体例を示す模式図である。
【図３】（ａ），（ｂ）共に、パソコンのＧＵＩアプリケーションにより、ディスプレイに表示される操作画面の具体例を示す模式図である。
【図４】パソコンと分離済み（非接続状態）のオーディオ装置における制御経路を説明するための模式図である。
【図５】（ａ）〜（ｃ）共に、パソコンとの接続途中のオーディオ装置の表示部に表示されるメッセージ等の具体例を示す模式図である。
【図６】パソコンと接続完了済みのオーディオ装置における制御経路を説明するための模式図である。
【図７】本発明の実施の形態に係る接続処理を説明するためのフローチャートである。
【図８】本発明の他の実施の形態に係る接続処理を説明するためのフローチャートである。
【図９】図８の接続処理にてオーディオ装置の表示部に表示されるメッセージ等の具体例を示す模式図である。
【符号の説明】
１　　オーディオ装置
１１　ＵＳＢハブ
１２，１３　ＵＳＢ　Ｉ／Ｆ
１４　ＭＤ制御モジュール
１５　ＵＳＢオーディオ
１６　セレクタ
１７　アンプ
１８　スピーカ
１９　内部バス
２０　操作部
２１　オーディオマイコン
２２　表示部
２３　処理制御部
２４　マルチデコードＤＳＰ
２５　ＲＯＭ
２６　ＲＡＭ
２７　ドライブコントローラ
２８　ＣＤドライブユニット
３　　パソコン
３ａ　ＧＵＩアプリケーション
Ｃ　　ＵＳＢケーブル
【図１】
2004070988.tif 000003
【図２】
2004070988.tif 000004
【図３】
2004070988.tif 000005
【図４】
2004070988.tif 000006
【図５】
2004070988.tif 000007
【図６】
2004070988.tif 000008
【図７】
2004070988.tif 000009
【図８】
2004070988.tif 000010
【図９】
2004070988.tif 000011